(57)【要約】【課題】  簡単な構造により、メダル回収施設の回収筒に対する予備タンク底面の開口位置を適宜変更し得るように構成した遊技機を提供する。【解決手段】  スロットマシン１０は、遊技メダルＭを収容し得るホッパユニット３０と、該ユニット３０からオーバーフローした遊技メダルＭを収容し得る予備タンク３２とを遊技機本体内に備える。スロットマシン１０は、予備タンク３２の底面を形成して該タンク内の遊技メダルＭに接触し得る除電プレート３７ａ〜３７ｃと、アース状態で遊技機本体内に設けられたガードプレート１９と、予備タンク３２に設けられ且つ該タンク３２の遊技機本体内の正規位置へのセット状態にて除電プレート３７ａ〜３７ｃをガードプレート１９に導通させる導通プレート３５とを備える。そして除電プレート３７ａ〜３７ｃは、タンク本体３２ａに対し夫々に着脱自在な複数の分割プレートとして構成される。【選択図】  図１２
2005177178.tif 000002
【特許請求の範囲】
【請求項１】
多数の遊技メダルを収容し得るホッパユニットと、該ホッパユニットからオーバーフローした遊技メダルを収容し得る予備タンクとを遊技機本体内に備えた遊技機であって、
前記予備タンクの底面を形成して該予備タンク内の遊技メダルに接触し得る除電プレートと、アース状態で前記遊技機本体内に設けられたアースプレートと、前記予備タンクに設けられ且つ該予備タンクの前記遊技機本体内の正規位置へのセット状態にて前記除電プレートを前記アースプレートに導通させる導通プレートと、を備え、
前記除電プレートが、前記予備タンクの本体に対し夫々に着脱自在な複数の分割プレートとして構成されることを特徴とする遊技機。
【請求項２】
前記複数の分割プレートは、前記遊技機本体内の正規位置へのセット状態にて、該遊技機本体の設置部分に予め設けられているメダル排出口に対応して、必要な枚数を装着し得るように構成されていることを特徴とする請求項１に記載の遊技機。
【発明の詳細な説明】
【技術分野】
【０００１】
本発明は、スロットマシン等の遊技機に関し、島施設に備えられたメダル回収施設に対応する手段を備えた遊技機に関する。
【背景技術】
【０００２】
一般に、遊技機、例えばスロットマシンとして、複数種の絵柄からなるシンボルマークを円周方向に多数備えた回胴リールを３列に装備した構造のものが知られている（例えば、特許文献１参照）。このスロットマシンでは、３列の回胴リールをスタートレバー操作で回転させた後、３個のストップボタンを夫々押圧操作することにより、各ボタンに対応する回胴リールを順次停止させる。この際、各回胴リールに備えたシンボルマークのうちの所定の絵柄同士が一致したとき当たりとなって、多数の遊技メダルがメダル受け皿に払い出されるように構成されている。
【０００３】
上記特許文献１に記載されたものを含むスロットマシンは一般に、主基板に装着されたＲＯＭの抽選機能により役抽選を行い、対応役の結果に応じて回胴リールを停止制御させてシンボルマークを揃える際等に視覚的な演出を行っている。また、遊技者の興味を高めて遊技性を向上させるために液晶等の画像演出表示装置が設けられている。
【０００４】
このようなスロットマシンは、マシン本体内部に、上記当たりがあったとき（入賞時）にメダル払出し口から払い出すための遊技メダルを多数枚収容し得るホッパユニットと、このホッパユニットに隣接して配置され、該ホッパユニットからオーバーフローして落下する遊技メダルを収容し得る予備タンクとを具備している。また、遊技島施設には、スロットマシン等の複数の遊技機からオーバーフローした遊技メダルを集約回収するメダル回収施設が存在している。
【０００５】
【特許文献１】特開２００１−１７０２４９号公報（図２参照）
【発明の開示】
【発明が解決しようとする課題】
【０００６】
ところで、メダル回収施設から各遊技機に対応するように設けられた回収筒は、実際には、遊技機に対する位置が遊技場によって微妙に異なっている。
【０００７】
このため、新規に遊技機を遊技島へ設置する際は、オーバーフローした遊技メダルをメダル回収施設にスムーズに回収できるようにするために、前記回収筒との位置整合調整及び位置整合のための装置を備える必要があった。
【０００８】
したがって、オーバーフローした遊技メダルを、遊技場によって微妙に位置が異なる回収筒を介してメダル回収施設にスムーズに回収し得る構造を、簡易に且つ特別な装置を備えることなく実現することが切望されている。
【０００９】
そこで本発明は、簡単な構造により、メダル回収施設の回収筒に対する予備タンク底面の開口位置を適宜変更し得るように構成し、もって上述した課題を解決した遊技機を提供することを目的とするものである。
【課題を解決するための手段】
【００１０】
請求項１に記載の発明は、多数の遊技メダルを収容し得るホッパユニットと、該ホッパユニットからオーバーフローした遊技メダルを収容し得る予備タンクとを遊技機本体内に備えた遊技機であって、
前記予備タンクの底面を形成して該予備タンク内の遊技メダルに接触し得る除電プレートと、アース状態で前記遊技機本体内に設けられたアースプレートと、前記予備タンクに設けられ且つ該予備タンクの前記遊技機本体内の正規位置へのセット状態にて前記除電プレートを前記アースプレートに導通させる導通プレートと、を備え、
前記除電プレートが、前記予備タンクの本体に対し夫々に着脱自在な複数の分割プレートとして構成されることを特徴としている。
【００１１】
請求項２に記載の発明は、請求項１に記載の遊技機の発明において、前記複数の分割プレートが、前記遊技機本体内の正規位置へのセット状態にて、該遊技機本体の設置部分に予め設けられているメダル排出口に対応して、必要な枚数を装着し得るように構成されていることを特徴とする。
【発明の効果】
【００１２】
請求項１に記載の発明によれば、予備タンクを遊技機本体内の正規位置に単にセットするだけで、予備タンク底面を形成して遊技メダルに直接接触する除電プレートを、導通プレートを介してアースプレートに導通させて、予備タンク内の遊技メダルに対する除電の有効な状態を実現することができ、また、除電プレートを成す分割プレートを適宜着脱することによって、メダル回収施設の回収筒に対する予備タンク底面の開口位置を適宜調整することができる。これにより、オーバーフローした遊技メダルを、遊技場によって微妙に位置が異なる回収筒を介してメダル回収施設にスムーズに回収し得る構造を、簡易に且つ特別な装置を備えることなく実現することができる。
【００１３】
請求項２に記載の発明によれば、遊技機本体内の正規位置へのセット状態にて、分割プレートを、メダル回収施設の回収筒に対応するように必要な枚数だけ装着できるので、メダル回収施設の回収筒に対する予備タンク底面の開口位置調整を、より簡単にすることができる。
【発明を実施するための最良の形態】
【００１４】
以下、本発明の遊技機の実施形態として、遊技場等に設置されるスロットマシンについて図１ないし図１３を参照して説明する。
【００１５】
なお、図１は本スロットマシンの外部構造を概略的に示す斜視図、図２は本スロットマシンの前扉を外して内部構造を表した状態を示す斜視図、図３は前扉を開放して筐体の内部を露出した状態で示す正面図、図４は予備タンクを分解状態で示す斜視図、図５は図４のV-V線に沿って切断して矢印方向に見た状態を示す断面図、図６は図５の切断状態をV-V線の矢視と反対方向に見た状態で示す断面図、図７は予備タンクの側面図、図８は予備タンクの底面図、図９はスロットマシン内の正規位置に予備タンクをセットした状態を示す側面断面図、図１０は図９の矢印Ａで示す部分を拡大して示す側面断面図、図１１は図９の矢印Ｂで示す部分を拡大して示す側面断面図、図１２はスロットマシン内での予備タンクのセット状態を示す側面断面図、図１３はスロットマシン内での予備タンクの図１２と異なるセット状態を示す側面断面図である。
【００１６】
本スロットマシン１０は、図１に示すように、筐体１１と、筐体１１の一側部に開閉自在に取り付けられて遊技者に面する前扉１２とを備えて構成されている。なお、筐体１１と前扉１２とによって遊技機本体が構成されている。
【００１７】
前扉１２は、図１の上下方向における略中央部分に操作パネル１３を有し、操作パネル１３の上方及び下方に、液晶表示パネル１５及びメダル受け皿１６を夫々有している。このメダル受け皿１６内には、入賞時にメダル払出し口１４から遊技メダルが払い出される。また、液晶表示パネル１５の上方には、クレジット枚数、ベット（ＢＥＴ）枚数、及び払い出し状況等を表示するための遊技状態表示部１７が設けられている。上記操作パネル１３には、上面にベットボタン２０及びメダル投入部２１が配置され、前面にスタートレバー２２及び３個のストップボタン２３が配置されている。なお、同図において、液晶表示パネル１５内方に見えるはずの回胴リール等は、便宜上図示を省略している。
【００１８】
また図３に示すように、前扉１２の背面側には、中央部分に液晶表示パネル１５が配置され、その上方にサブ基板アッシー３６が配置されている。液晶表示パネル１５の下方に中央中継基板カバー５３が配置され、更に下方には、インバータ４３、メダル口４１、及び演出用スピーカ４２が配置されている。
【００１９】
筐体１１の内方には、中央部分に回胴リール装置２７が設けられ、この回胴リール装置２７の上方に主基板２５が設けられている。この回胴リール装置２７は、横３列に配置された回胴リール２７ａを備えている。回胴リール装置２７の下方の筐体底部１１ａ上には、入賞時にメダル払出し口１４から払い出すための多数の遊技メダルを収容し得るホッパユニット３０が配置され、ホッパユニット３０の左右に隣接するように、電源装置３３と、ホッパユニット３０からオーバーフローした遊技メダルを収容し得る予備タンク３２とが夫々配置されている。
【００２０】
図２及び図３に示すように、上記ホッパユニット３０は、上部に位置するメダル補給口２８から補給されてオーバーフローした遊技メダルを予備タンク３２側に排出するための排出口３０ａを備えている。また予備タンク３２は、タンク本体３２ａの前部上方に把手３２ｂを備えている。
【００２１】
筐体底部１１ａ上の筐体前部側には、筐体１１の幅方向に延在するように、金属製のガードプレート（アースプレート）１９が固定配置されている。このガードプレート１９は、遊技機本体内に配線されたアース線（図示せず）を介してアースされた状態で遊技機本体の底部内面に固定されたもので、遊技機本体内の正規位置にセットされた予備タンク３２の前方下部に対応する接触面１９ａを備えている。なお、図３中の符号２６ａ、２６ｂは錠受け、符号３１はメダル出口を夫々示す。
【００２２】
ついで、図４ないし図１３を参照して、予備タンク３２内の遊技メダルに帯電する静電気を除電する除電手段について詳細に説明する。すなわち、図４に示すように、予備タンク３２は、タンク本体３２ａの前壁部の上部に把手３２ｂを備えると共に、把手３２ｂと反対側の後壁部に、メダル検知用バー５５（図１２，図１３参照）の挿入用の貫通孔４５ａ，４５ｂを貫通して備えている。そして、上記後壁部の内面には、有底の凹溝４６ａ，４６ｂが貫通孔４５ａ，４５ｂから上方に向かって形成されている。
【００２３】
また、タンク本体３２ａの底部には、図４及び図８に示すように、予備タンク３２の底面を形成して該予備タンク３２内の遊技メダルに接触し得る３枚の除電プレート３７ａ，３７ｂ，３７ｃが順に配置されている。タンク本体３２ａの一方の縁部には、除電プレート３７ａ〜３７ｃの各係合突部３８ａを夫々係合する係合溝部４０ａ，４０ｂ，４０ｃ（図７も併せて参照）が所定のピッチで形成され、他方の縁部には、後述する突起部３９ａ，３９ｂ，３９ｃを夫々係合する係合溝部４４ａ，４４ｂ，４４ｃが所定のピッチで形成されている。
【００２４】
除電プレート３７ａ，３７ｂ，３７ｃは夫々、金属材料からなる略矩形状の金属プレートによって構成され、当接部３８ｃと、該当接部３８ｃの中央部分から突出する係合突部３８ａとを一端部に有すると共に、当接部３８ｂを他端部に有している。除電プレート３７ａ〜３７ｃの予備タンク３２内への収容状態にて、係合突部３８ａは係合溝部４０ａ〜４０ｃに係合し、当接部３８ｂは、タンク本体３２ａにおける係合溝部４０ａ〜４０ｃと反対側の内面に当接する。
【００２５】
上記除電プレート３７ａ〜３７ｃは、タンク本体３２ａに対し夫々に着脱自在な複数の分割プレートとして構成され、遊技機本体内の正規位置（図２及び図３に示す収容位置）へのセット状態にて、遊技機本体の設置部分に予め設けられているメダル排出口５２（図１２参照）に対応して、必要な枚数のみをタンク本体３２ａに装着できるように構成されている。なお、上記除電プレート３７ａ〜３７ｃは、通常高い導電率を有する金属材料が好ましいが、更に錆等腐食防止と比較的高い導電率の両方を満たすステンレス等で構成されていれば更に好ましい。また、遊技場における遊技島施設には、各スロットマシンからオーバーフローした遊技メダルを集約回収するメダル回収施設が配備されており、上記メダル排出口５２は、当該メダル回収施設に遊技メダルを回収するための回収筒を構成している。
【００２６】
予備タンク３２（つまりタンク本体３２ａ）の底面下部には、除電プレート３７ａ〜３７ｃとの接触状態で予備タンク３２の底部に固定され、且つ予備タンク３２が遊技機本体における正規位置にセットされたとき除電プレート３７ａ〜３７ｃをガードプレート１９に導通させる導通プレート３５が固定されている。この導通プレート３５は、除電プレート３７ａ〜３７ｃと接触可能に予備タンク３２内に露出する突起部３９ａ，３９ｂ，３９ｃを有し且つ予備タンク底部の一方の縁部に沿って延在する第１導通部３５ａと、第１導通部３５ａと一体に形成されてガードプレート１９との接触位置に延びる第２導通部３５ｂとを備えている。上記突起部３９ａ〜３９ｃは、係合溝部４４ａ〜４４ｃのピッチ及び各幅に夫々適合するように形成されている。
【００２７】
ここで、例えば上記突起部３９ａの係合溝部４４ａへの係合状態を図６に示す。即ち、同図に示すように、突起部３９ａは、貫通孔３４を通して枠部４９ｂのネジ孔４８に螺合された固定用ネジ５１で第１導通部３５ａが枠部４９ｂに固定された状態で、係合溝部４４ａから予備タンク３２内に露出して、係合溝部４０ａに係合突部３８ａを係合させ且つ弾性部４７により当接部３８ｂを押さえ付けられた除電プレート３７ａの上記当接部３８ｂに接触して導通している。
【００２８】
一方、上記第２導通部３５ｂは、予備タンク３２を遊技機本体内における正規位置にセットした状態で、ガードプレート１９に対して良好な形で接触し得るように折り返された折り返し接触部３５ｃを備えている。この折り返し接触部３５ｃが位置する部分は、図７に示すように、他の底面よりも若干量上方に位置している。これは、図２における筐体底部１１ａの奥側の面よりやや高くなっている接触面１９ａに対し、正規位置のセット状態で適正に接触できるようにするためである。
【００２９】
また予備タンク３２は、図５及び図８に示すように、タンク本体３２ａの底部に、枠部４９ａ，４９ｂによって区画された開口部５０を有している。枠部４９ａには上記係合溝部４０ａ〜４０ｃが夫々形成されており（図５では断面位置の関係上、係合溝部４０ａのみを図示）、枠部４９ｂの下面には、その延在方向（図５の手前−奥方向、図８の左右方向）に沿って第１導通部３５ａが固定されている。
【００３０】
また、タンク本体３２ａの枠部４９ｂ側には、所定幅に切り欠かれた溝内にて薄肉状に形成された弾性部４７が除電プレート３７ａ〜３７ｃに夫々対応するように設けられている。これら弾性部４７には夫々、係合突起４７ａが形成されている。係合突起４７ａは、係合溝部４０ａ〜４０ｃに係合突部３８ａを夫々係合させた除電プレート３７ａ〜３７ｃの各当接部３８ｂが弾性部４７を押圧しつつ下方に移動して嵌り込んだとき、その上部を係合して外れ防止をするように機能する。
【００３１】
なお、上述した除電プレート３７ａ，３７ｂ，３７ｃとガードプレート１９と導通プレート３５とによって除電手段が構成されている。
【００３２】
次に、本スロットマシン１０の作動を、図１〜図３並びに図９〜図１３を参照して説明する。
【００３３】
まず、遊技場において、係員により電源がオンされ、電源装置３３からの給電が開始されて、各スロットマシン１０が遊技可能な状態とされる。これに先だって、各スロットマシン１０には、ホッパユニット３０及び補給用タンク（図示せず）に遊技メダルが充分に投入される。この際、予備タンク３２は、図９に示すように、遊技機本体内における筐体底部１１ａのガードプレート１９上に、前面下部の折り返し接触部３５ｃを適正に接触させた状態で（図９，図１０参照）、遊技機本体内の正規位置（図２，図３参照）にセットされている。このとき、予備タンク３２では、タンク本体３２ａ内方に所定の状態で収容配置された除電プレート３７ａ〜３７ｃが、タンク本体３２ａ内に投入されてくる遊技メダルに帯電する静電気を有効に除電し得る状態となっている。なお、当該状態において枠部４９ｂ上に適正に整合する除電プレート３７ｂ，３７ｃを図１１に拡大して示す。
【００３４】
上記除電プレート３７ａ〜３７ｃのタンク本体３２ａへの収容状態は、予備タンク３２を装着する筐体１１内の構成に対応して適宜調整できるようになっている。即ち、図１２及び図１３に示すように、各スロットマシン１０の下部に連通するようにメダル排出口５２を配設した設備にあって、当該メダル排出口５２が筐体底部１１ａの中央部分に位置する場合には、正規位置へのセットに際して、中央部に位置すべき除電プレート３７ｂを予め外しておく。このようにしてセットした予備タンク３２によれば、図１２に示すように、ホッパユニット３０でオーバーフローして排出口３０ａから落下する遊技メダルＭは、メダル排出口５２から適度に排出されつつ予備タンク内部に適度に溜まることとなる。これに対し、メダル排出口５２が筐体底部１１ａの比較的奥側に位置する際には、遊技機本体内の正規位置に予備タンク３２をセットする際、図１３に示すように、筐体１１の奥側に対応する除電プレート３７ａを予め外しておく。
【００３５】
上述のように予備タンク３２が適正にセットされた状態で遊技が開始されると、各遊技毎にメダル投入部２１から１〜３枚の遊技メダルが投入され、当該遊技メダルが、所定の経路を通ってホッパユニット３０に送られ、また該ホッパユニット３０にはメダル補給口２８（図３参照）からメダル減少程度に応じた数の遊技メダルが適時補給される。そして、遊技の結果、当たりが当選（入賞）した場合には、ホッパユニット３０が作動し、入賞の種別に対応した枚数の遊技メダルがメダル受け皿１６に払い出される。
【００３６】
遊技メダルの払い出しの進行に伴って、ホッパユニット３０内の遊技メダルが減少していく。或いはこれとは逆に、遊技の繰り返しによって、メダル投入部２１からの投入メダル枚数が払出しメダル枚数よりも多い状態が続く場合、ホッパユニット３０内に遊技メダルが増加することになる。そして、ホッパユニット３０が満杯になった状態で、メダル投入部２１から遊技メダルが更にホッパユニット３０に送り込まれると、これら遊技メダルはホッパユニット３０からオーバーフローし、排出口３０ａからその隣接する予備タンク３２に落下されることとなる。
【００３７】
以上のように、本実施の形態によると、予備タンク３２を遊技機本体内の正規位置に単にセットするだけで、予備タンク底面を形成して遊技メダルＭに直接接触する除電プレート３７ａ，３７ｂ，３７ｃを、導通プレート３５を介してガードプレート１９に導通させて、予備タンク内の遊技メダルＭに対する除電の有効な状態が得られる。このため例えば、予備タンク内に遊技メダルＭが溜まった（又は、詰まった）旨の警報が発せられた際、遊技場係員が、スロットマシン１０の前扉１２を開放して予備タンク３２を取り出しその内方の遊技メダルＭを除去した後、予備タンク３２を正規位置に単に戻すだけで、引き続き予備タンク内に投入される遊技メダルＭに対する適正な除電状態を維持することができる。
【００３８】
同時に、除電プレート３７ａ〜３７ｃがタンク本体３２ａに対し夫々に着脱自在な複数の分割プレートとして構成されるので、予備タンク３２の底部から遊技メダルＭをメダル排出口５２に排出するようにセットする際の予備タンク底部の開口状態を自在に調節して対処することができる。従って、除電のための手段である除電プレート３７ａ〜３７ｃを遊技機本体に対して簡便に且つ適切に配備することができる。つまり、分割プレート（３７ａ〜３７ｃ）を、遊技機本体内の正規位置へのセット状態にて、メダル排出口５２に対応するように必要な枚数だけタンク本体３２ａに装着できるので、予備タンク底部の開口状態をメダル排出口５２に適切に対応させた（即ち、メダル回収施設の回収筒（５２）に対する予備タンク底面の開口位置を適宜調整した）状態で、遊技機本体に簡便にセットできると共に、メダル排出口５２に対する予備タンク底面の開口位置調整をより簡単にすることができる。これにより、オーバーフローした遊技メダルを、遊技場によって微妙に位置が異なる回収筒を介してメダル回収施設にスムーズに回収し得る構造を、簡易に且つ特別な装置を備えることなく実現することができる。
【００３９】
また、導通プレート３５が、予備タンク３２の底面となる除電プレート３７ａ，３７ｂ，３７ｃに突起部３９ａ，３９ｂ，３９ｃを夫々接触させた形の第１導通部３５ａと、この第１導通部３５ａに導通する第２導通部３５ｂとを介してガードプレート１９に確実に導通させるので、遊技機本体内の正規位置にセットされた予備タンク３２に対する良好な除電状態を容易且つ確実に得ることができる。更に、折り返し接触部３５ｃの存在により、導通プレート３５とガードプレート１９との適正な接触状態を確実に得ることができる。
【００４０】
なお、本実施形態では、除電プレートを３分割の除電プレート３７ａ〜３７ｃとして構成したが、これに限らず、例えば２分割の除電プレート、或いは４分割以上の除電プレートとして構成しても良いことは勿論である。
【産業上の利用可能性】
【００４１】
本発明に係る遊技機は、遊技メダルを用いる遊技機に用いて有用であり、特にオーバーフローした遊技メダルが投入される予備タンクをメダル回収施設の回収筒に対して位置調整する必要性のある遊技機に適している。
【図面の簡単な説明】
【００４２】
【図１】本発明の実施形態に係るスロットマシンの外部構造を概略的に示す斜視図である。
【図２】本スロットマシンの前扉を外して内部構造を表した状態を示す斜視図である。
【図３】前扉を開放して筐体の内部を露出した状態で示す正面図である。
【図４】予備タンクの分解状態を示す斜視図である。
【図５】図４のV-V線に沿って切断して矢印方向に見た状態を示す断面図である。
【図６】図５の切断状態をV-V線の矢視と反対方向に見た状態で示す断面図である。
【図７】予備タンクの側面図である。
【図８】予備タンクの底面図である。
【図９】スロットマシン内の正規位置に予備タンクをセットした状態を示す側面断面図である。
【図１０】図９の矢印Ａで示す部分を拡大して示す側面断面図である。
【図１１】図９の矢印Ｂで示す部分を拡大して示す側面断面図である。
【図１２】スロットマシン内での予備タンクのセット状態を示す側面断面図である。
【図１３】スロットマシン内での予備タンクの図１２と異なるセット状態を示す側面断面図である。
【符号の説明】
【００４３】
１０…スロットマシン（遊技機）
１９…ガードプレート（アースプレート）
３０…ホッパユニット
３２…予備タンク
３５…導通プレート
３５ａ…第１導通部
３５ｂ…第２導通部
３５ｃ…折り返し接触部
３７ａ，３７ｂ，３７ｃ…除電プレート（分割プレート）
３９ａ，３９ｂ，３９ｃ…突起部
Ｍ…遊技メダル
【図１】
2005177178.tif 000003
【図２】
2005177178.tif 000004
【図３】
2005177178.tif 000005
【図４】
2005177178.tif 000006
【図５】
2005177178.tif 000007
【図６】
2005177178.tif 000008
【図７】
2005177178.tif 000009
【図８】
2005177178.tif 000010
【図９】
2005177178.tif 000011
【図１０】
2005177178.tif 000012
【図１１】
2005177178.tif 000013
【図１２】
2005177178.tif 000014
【図１３】
2005177178.tif 000015